(57)【要約】【課題】光源を用いずに、観察者に立体画像を提供することが可能な画像表示装置を提供する。【解決手段】画像表示装置１は、画像を表示するための表示パネル１０と、表示パネル１０の背面側に配置され、観察者５０側から入射した光を反射することにより、表示パネル１０の右目用画像Ｒ１が表示される領域を介して観察者５０の右目５０ａに進行する光と、表示パネル１０の左目用画像Ｌ１が表示される領域を介して観察者５０の左目５０ｂに進行する光とに分離するミラー部３２とを備えている。【選択図】図２
2007121720.tif 000002
【特許請求の範囲】
【請求項１】
画像を表示するための表示パネルと、
前記表示パネルの背面側に配置され、観察者側から入射した光を反射することにより、前記表示パネルの第１画像が表示される領域を介して前記観察者側に進行する光と、前記表示パネルの第２画像が表示される領域を介して前記観察者側に進行する光とに分離する反射手段とを備えた、画像表示装置。
【請求項２】
前記反射手段は、前記観察者側から入射した光を前記観察者側に反射する際に、前記表示パネルの右目用画像が表示される領域を介して前記観察者の右目に進行する光と、前記表示パネルの左目用画像が表示される領域を介して前記観察者の左目に進行する光とに分離することによって、前記観察者に立体画像を提供する、請求項１に記載の画像表示装置。
【請求項３】
前記反射手段は、前記表示パネルの背面側の領域のうち、前記観察者側から入射した光を、前記表示パネルの第１画像が表示される領域を介して前記観察者側に進行する光と、前記表示パネルの第２画像が表示される領域を介して前記観察者側に進行する光とに分離して反射することが可能な一部の領域に配置された鏡部材を含む、請求項１または２に記載の画像表示装置。
【請求項４】
前記鏡部材は、前記観察者の両目を結んだ第１の方向と交差する第２の方向に沿って延びるとともに、前記第１の方向に所定の間隔を隔てて設けられており、
前記表示パネルの第１画像および第２画像は、前記第２の方向に沿って延びるとともに、前記第１の方向に隣接するように表示される、請求項３に記載の画像表示装置。
【請求項５】
前記鏡部材は、前記観察者の両目を結んだ第１の方向と、前記第１の方向に交差する第２の方向との両方に対して交差する第３の方向に沿って配置されており、
前記表示パネルの第１画像および第２画像は、それぞれ、前記第３の方向に沿って表示される、請求項３に記載の画像表示装置。
【請求項６】
前記鏡部材は、前記観察者の右目と前記表示パネルに表示される右目用画像が表示される領域とを結んだ線上に配置されるとともに、前記観察者の左目と前記表示パネルに表示される左目用画像が表示される領域とを結んだ線上に配置される、請求項３〜５のいずれか１項に記載の画像表示装置。
【請求項７】
前記反射手段は、前記観察者側から入射した光の一部を反射することにより、前記観察者に立体画像を提供する第１の状態と、前記観察者側から入射した光を反射することにより、前記観察者に平面画像を提供する第２の状態とを切り替えることが可能である、請求項１〜６のいずれか１項に記載の画像表示装置。
【請求項８】
前記反射手段は、
入射した光を第１の偏光軸を有する光に変化させる第１偏光状態と、入射した光を第２の偏光軸を有する光に変化させる第２偏光状態とに切り替えることが可能な偏光制御液晶パネルと、
前記偏光制御液晶パネルの背面側に配置され、前記第１の偏光軸を有する光を透過するとともに、前記第２の偏光軸を有する光を反射する反射型偏光板と、
前記反射型偏光板の背面側に配置され、前記反射型偏光板を透過した第１の偏光軸を有する光を反射する鏡部材とを含み、
前記第１偏光状態では、入射した光が第１の偏光軸を有する光に変化された後、その光の一部が前記鏡部材により反射されて前記観察者に立体画像が提供され、
前記第２偏光状態では、入射した光が第２の偏光軸を有する光に変化された後、その光の実質的に全てが前記反射型偏光板により反射されて前記観察者に平面画像が提供される、請求項７に記載の画像表示装置。
【請求項９】
前記反射手段は、
入射した光を第１の偏光軸を有する光に変化させる第１偏光状態と、入射した光を第２の偏光軸を有する光に変化させる第２偏光状態とに切り替えることが可能で、かつ、前記第１偏光状態の第１領域および前記第２偏光状態の第２領域の形成位置を制御することが可能な偏光制御液晶パネルと、
前記偏光制御液晶パネルの背面側に配置され、前記第１の偏光軸を有する光を透過するとともに、前記第２の偏光軸を有する光を反射する反射型偏光板とを含み、
前記偏光制御液晶パネルを制御することにより、前記偏光制御液晶パネルの所定の一部の位置に前記第２領域を設けることによって、前記第２領域に入射した光が第２の偏光軸を有する光に変化された後、その光が前記反射型偏光板により反射されて前記観察者に立体画像が提供され、
前記偏光制御液晶パネルを制御することにより、前記偏光制御液晶パネルの実質的に全ての領域に前記第２領域を設けることによって、入射した光が第２の偏光軸を有する光に変化された後、その光の実質的に全てが前記反射型偏光板により反射されて前記観察者に平面画像が提供される、請求項１または２に記載の画像表示装置。
【請求項１０】
前記所定の位置に設けられた前記第１偏光状態の第１領域および前記第２偏光状態の第２領域は、前記観察者の両目を結んだ第１の方向と交差する第２の方向に沿って延びるとともに、前記第１の方向に隣接するように設けられており、
前記表示パネルの第１画像および第２画像は、前記第２の方向に沿って延びるとともに、前記第１の方向に隣接するように表示される、請求項９に記載の画像表示装置。
【請求項１１】
前記反射手段の背面側に設けられ、前記観察者側から入射した光を吸収する光吸収部材をさらに備える、請求項１〜１０のいずれか１項に記載の画像表示装置。
【請求項１２】
前記表示パネルの前記観察者側に設けられる偏光板をさらに備える、請求項１〜１１のいずれか１項に記載の画像表示装置。
【発明の詳細な説明】
【技術分野】
【０００１】
この発明は、画像表示装置に関し、特に、観察者側に進行する光を分離する手段を備えた画像表示装置に関する。
【背景技術】
【０００２】
従来、光源から照射された光を透過する開口部と遮光する遮光部とが観察者側から見て縦ストライプ状に形成された光学フィルタを用いることにより、光源から観察者側に進行する光を分離して、観察者に立体画像を提供する立体画像表示装置が知られている（たとえば、特許文献１参照）。
【０００３】
図２０は、特許文献１に開示された立体画像表示装置と同様の構成を有する従来の一例による光学フィルタを備えた立体画像表示装置を観察者が見た状態を上方から示した図である。図２１は、図２０に示した従来の一例による立体画像表示装置の光学フィルタの斜視図である。図２０および図２１を参照して、従来の一例による光学フィルタを備えた立体画像表示装置３００の構成について説明する。
【０００４】
従来の一例による立体画像表示装置３００は、図２０に示すように、画像を表示するための表示パネル３１０と、表示パネル３１０を挟み込むように配置される偏光板３２０および３３０と、偏光板３３０の背面側に配置される光学フィルタ３４０と、光学フィルタ３４０の背面側に配置されるバックライト３５０とを備えている。
【０００５】
表示パネル３１０には、観察者３６０の右目３６０ａが観察するための右目用画像Ｒ１０と、観察者３６０の左目３６０ｂが観察するための左目用画像Ｌ１０とが表示されており、右目用画像Ｒ１０および左目用画像Ｌ１０は、それぞれ、観察者３６０側から見て右目３６０ａと左目３６０ｂとを結ぶ線分に直交する方向に延びる縦ストライプ状になるように表示される。そして、右目用画像Ｒ１０と左目用画像Ｌ１０との組は、後述する光学フィルタ３４０の開口部３４１ａに対応するように表示されている。
【０００６】
光学フィルタ３４０は、図２０および図２１に示すように、透明なガラス基板３４１と、ガラス基板３４１上に形成される遮光部３４２とを含んでいる。そして、ガラス基板３４１上の遮光部３４２が形成される領域以外の領域には、バックライト３５０からの光を透過させる機能を有する開口部３４１ａが設けられている。そして、開口部３４１ａおよび遮光部３４２は、それぞれ、観察者３６０側から見て右目３６０ａと左目３６０ｂとを結ぶ線分に直交する方向に延びる縦ストライプ状になるように設けられている。そして、開口部３４１ａおよび遮光部３４２の図２０および図２１のＤ方向の長さを所定の長さに設定することにより、バックライト３５０から開口部３４１ａを介して出射した光を、表示パネル３１０の右目用画像Ｒ１０が表示される領域を介して観察者３６０の右目３６０ａに進行する光と、表示パネル３１０の左目用画像Ｌ１０が表示される領域を介して観察者３６０の左目３６０ｂに進行する光とに分離することが可能となる。したがって、右目３６０ａは、表示パネル３１０の右目用画像Ｒ１０が表示される領域のみを観察するとともに、左目３６０ｂは、表示パネル３１０の左目用画像Ｌ１０が表示される領域のみを観察する。これにより、観察者３６０は、立体画像を観察することが可能となる。
【０００７】
【特許文献１】特許第２９０２９５８号公報
【発明の開示】
【発明が解決しようとする課題】
【０００８】
しかしながら、図２０および図２１に示した立体画像表示装置３００では、表示パネル３１０に表示される右目用画像Ｒ１０および左目用画像Ｌ１０を、観察者３６０に観察させるために、光源としてのバックライト３５０を設ける必要があるという問題点があった。
【０００９】
この発明は、上記のような課題を解決するためになされたものであり、この発明の１つの目的は、光源を用いずに、観察者に少なくとも立体画像を提供することが可能な画像表示装置を提供することである。
【課題を解決するための手段および発明の効果】
【００１０】
上記目的を達成するために、この発明の一の局面による画像表示装置は、画像を表示するための表示パネルと、表示パネルの背面側に配置され、観察者側から入射した光を反射することにより、表示パネルの第１画像が表示される領域を介して観察者側に進行する光と、表示パネルの第２画像が表示される領域を介して観察者側に進行する光とに分離する反射手段とを備えている。
【００１１】
この一の局面による画像表示装置では、上記のように、観察者側から入射した光を反射することにより、表示パネルの第１画像が表示される領域を介して観察者側に進行する光と、表示パネルの第２画像が表示される領域を介して観察者側に進行する光とに分離する反射手段を設けることによって、光源を用いずに、第１画像が付加された光と、第２画像が付加された光とを分離した状態で、観察者側に進行させることができる。これにより、たとえば、表示パネルに右目用画像（第１画像）と左目用画像（第２画像）とを表示させておけば、観察者の右目および左目に、それぞれ、右目用画像および左目用画像を入射させることができる。その結果、光源を用いずに、観察者に立体画像を提供することができる。
【００１２】
上記一の局面による画像表示装置において、好ましくは、反射手段は、観察者側から入射した光を観察者側に反射する際に、表示パネルの右目用画像が表示される領域を介して観察者の右目に進行する光と、表示パネルの左目用画像が表示される領域を介して観察者の左目に進行する光とに分離することによって、観察者に立体画像を提供する。このように構成すれば、光源を用いずに、右目用画像が付加された光と、左目用画像が付加された光とを分離した状態で、それぞれ、観察者の右目と左目とに進行させることができる。その結果、光源を用いずに、観察者に立体画像を提供することができる。
【００１３】
上記一の局面による画像表示装置において、好ましくは、反射手段は、表示パネルの背面側の領域のうち、観察者側から入射した光を、表示パネルの第１画像が表示される領域を介して観察者側に進行する光と、表示パネルの第２画像が表示される領域を介して観察者側に進行する光とに分離して反射することが可能な一部の領域に配置された鏡部材を含んでいる。このように構成すれば、簡単な構成で、鏡部材に入射した光を、たとえば、表示パネルの右目用画像（第１画像）が表示される領域を介して観察者の右目に向かって反射させるとともに、表示パネルの左目用画像（第２画像）が表示される領域を介して観察者の左目に向かって反射させることができる。その結果、簡単な構成で、光源を用いずに、観察者に立体画像を提供することができる。
【００１４】
上記鏡部材を備えた画像表示装置において、好ましくは、鏡部材は、観察者の両目を結んだ第１の方向と交差する第２の方向に沿って延びるとともに、第１の方向に所定の間隔を隔てて設けられており、表示パネルの第１画像および第２画像は、第２の方向に沿って延びるとともに、第１の方向に隣接するように表示される。このように構成すれば、第２の方向に沿って延びる鏡部材に入射した光を、第２の方向に沿って延びるように表示される第１画像および第２画像に向かって進行させることができる。これにより、第１画像が表示される領域に入射した光と、第２画像が表示される領域に入射した光とを、それぞれ、第２の方向に沿って延びた状態で進行させることができる。その結果、観察者の右目および左目に、それぞれ、第１画像が付加された光および第２画像が付加された光を進行させることができるので、観察者に立体画像を提供することができる。
【００１５】
上記鏡部材を備えた画像表示装置において、好ましくは、鏡部材は、観察者の両目を結んだ第１の方向と、第１の方向に交差する第２の方向との両方に対して交差する第３の方向に沿って配置されており、表示パネルの第１画像および第２画像は、それぞれ、第３の方向に沿って表示される。このように構成すれば、第３の方向に沿って延びる鏡部材に入射した光を、第３の方向に沿って延びるように表示される第１画像および第２画像に向かって進行させることができる。これにより、第１画像が表示される領域に入射した光と、第２画像が表示される領域に入射した光とを、それぞれ、第３の方向に沿って延びた状態で進行させることができる。その結果、右目および左目に向かって進行するように分離された光を、第１の方向（縦方向）および第２の方向（横方向）にほぼ均等に分散した状態で観察者の目に向かって進行させることができるので、観察者の両面が観察する表示パネルの画像の解像度の低下を第１の方向（縦方向）および第２の方向（横方向）に分散することができる。その結果、観察者に、画像劣化の少ない立体画像を観察していると認識させることができる。
【００１６】
上記鏡部材を備えた画像表示装置において、好ましくは、鏡部材は、観察者の右目と表示パネルに表示される右目用画像が表示される領域とを結んだ線上に配置されるとともに、観察者の左目と表示パネルに表示される左目用画像が表示される領域とを結んだ線上に配置される。このように構成すれば、容易に、鏡部材に反射された光を右目用画像が表示される領域を介して観察者の右目に進行させることができるとともに、左目用画像が表示される領域を介して観察者の左目に進行させることができる。その結果、容易に、観察者に立体画像を提供することができる。
【００１７】
上記一の局面による画像表示装置において、好ましくは、反射手段は、観察者側から入射した光の一部を反射することにより、観察者に立体画像を提供する第１の状態と、観察者側から入射した光を反射することにより、観察者に平面画像を提供する第２の状態とを切り替えることが可能である。このように構成すれば、反射手段を第１の状態にすることにより、観察者に立体画像を提供することができるとともに、反射手段を第２の状態にすることにより、観察者に平面画像を提供することができる。
【００１８】
上記第１の状態と第２の状態とに切り替えることが可能な反射手段を備えた画像表示装置において、好ましくは、反射手段は、入射した光を第１の偏光軸を有する光に変化させる第１偏光状態と、入射した光を第２の偏光軸を有する光に変化させる第２偏光状態とに切り替えることが可能な偏光制御液晶パネルと、偏光制御液晶パネルの背面側に配置され、第１の偏光軸を有する光を透過するとともに、第２の偏光軸を有する光を反射する反射型偏光板と、反射型偏光板の背面側に配置され、反射型偏光板を透過した第１の偏光軸を有する光を反射する鏡部材とを含み、第１偏光状態では、入射した光が第１の偏光軸を有する光に変化された後、その光の一部が鏡部材により反射されて観察者に立体画像が提供され、第２偏光状態では、入射した光が第２の偏光軸を有する光に変化された後、その光の実質的に全てが反射型偏光板により反射されて観察者に平面画像が提供される。このように構成すれば、偏光制御液晶パネルを第１偏光状態および第２偏光状態に切り替えることにより、容易に、観察者に立体画像および平面画像を提供することができる。
【００１９】
上記一の局面による画像表示装置において、好ましくは、反射手段は、入射した光を第１の偏光軸を有する光に変化させる第１偏光状態と、入射した光を第２の偏光軸を有する光に変化させる第２偏光状態とに切り替えることが可能で、かつ、第１偏光状態の第１領域および第２偏光状態の第２領域の形成位置を制御することが可能な偏光制御液晶パネルと、偏光制御液晶パネルの背面側に配置され、第１の偏光軸を有する光を透過するとともに、第２の偏光軸を有する光を反射する反射型偏光板とを含み、偏光制御液晶パネルを制御することにより、偏光制御液晶パネルの所定の一部の位置に第２領域を設けることによって、第２領域に入射した光が第２の偏光軸を有する光に変化された後、その光が反射型偏光板により反射されて観察者に立体画像が提供され、偏光制御液晶パネルを制御することにより、偏光制御液晶パネルの実質的に全ての領域に第２領域を設けることによって、入射した光が第２の偏光軸を有する光に変化された後、その光の実質的に全てが反射型偏光板により反射されて観察者に平面画像が提供される。このように構成すれば、所定の一部の位置に設けられた第２領域を通過するとともに反射型偏光板に反射された光が、第１画像が付加された光と、第２画像が付加された光とに分離した状態で、観察者側に進行するので、観察者は立体画像を観察することができる。また、実質的に全ての領域が第２領域の偏光制御液晶パネルを通過するとともに反射型偏光板に反射された光が、所定の平面画像が付加された状態で、観察者側に進行するので、観察者は平面画像を観察することができる。その結果、光源を用いずに、観察者に立体画像および平面画像を提供することができる。
【００２０】
上記所定の位置に第１偏光状態の第１領域および第２偏光状態の第２領域を設けることが可能な偏光制御液晶パネルを備えた画像表示装置において、所定の位置に設けられた第１偏光状態の第１領域および第２偏光状態の第２領域は、観察者の両目を結んだ第１の方向と交差する第２の方向に沿って延びるとともに、第１の方向に隣接するように設けられており、表示パネルの第１画像および第２画像は、第２の方向に沿って延びるとともに、第１の方向に隣接するように表示される。このように構成すれば、第２の方向に沿って延びる第２領域を介して反射型偏光板に入射した光を、第２の方向に沿って延びるように表示される第１画像および第２画像に向かって進行させることができる。これにより、第１画像が表示される領域に入射した光と、第２画像が表示される領域に入射した光とを、それぞれ、第２の方向に沿って延びた状態で進行させることができる。その結果、観察者の右目および左目に、それぞれ、第１画像が付加された光および第２画像が付加された光を進行させることができるので、観察者に立体画像を提供することができる。
【００２１】
上記一の局面による画像表示装置において、好ましくは、反射手段の背面側に設けられ、観察者側から入射した光を吸収する光吸収部材をさらに備える。このように構成すれば、反射手段で反射されずに透過した光を吸収することができる。その結果、反射手段により反射されずに透過した光が反射することに起因して、観察者の右目（左目）に表示パネルに表示される左目用画像（右目用画像）が付加された光が進行するのを抑制することができる。
【００２２】
上記一の局面による画像表示装置において、好ましくは、表示パネルの観察者側に設けられる偏光板をさらに備える。このように構成すれば、観察者側から入射する種々の偏光軸を有する光（太陽光）の内の所定の偏光軸を有する光を透過させることができる。これにより、その所定の偏光軸を有する光を反射手段により、表示パネルの第１画像が表示される領域を介して観察者側に進行する光と、表示パネルの第２画像が表示される領域を介して観察者側に進行する光とに分離することができる。
【発明を実施するための最良の形態】
【００２３】
以下、本発明を具体化した実施形態を図面に基づいて説明する。
【００２４】
（第１実施形態）
図１は、本発明の第１実施形態による画像表示装置の分解斜視図である。図２は、図１に示した第１実施形態による画像表示装置を観察者が見た状態を上方から示した図である。まず、図１および図２を参照して、本発明の第１実施形態による画像表示装置１の構成について説明する。
【００２５】
第１実施形態による画像表示装置１は、図１および図２に示すように、画像を表示するための表示パネル１０と、表示パネル１０の観察者５０側に配置される偏光板２０と、表示パネル１０の背面側に配置される光学部材３０とを備えている。
【００２６】
表示パネル１０には、観察者５０の右目５０ａが観察するための右目用画像Ｒ１と、観察者５０の左目５０ｂが観察するための左目用画像Ｌ１とが表示されている。以下、特に記載のない限り、右目５０ａおよび左目５０ｂは、それぞれ、観察者５０の右目５０ａおよび観察者５０の左目５０ｂを示す。また、図２に示すように、右目用画像Ｒ１および左目用画像Ｌ１は、それぞれ、右目５０ａおよび左目５０ｂを結んだＡ方向と直交するＢ方向（図１参照）に沿って延びるとともに、Ａ方向に隣接するように交互に表示されている。そして、右目用画像Ｒ１と左目用画像Ｌ１との組は、後述する光学部材３０のミラー部３２に対応するように表示されている。
【００２７】
偏光板２０は、観察者５０側から見てたとえば約１３５°の偏光軸を有するように設定されているので、観察者５０側から見て約１３５°の偏光軸を有する光を透過する機能を有している。以下、特に記載のない限り、偏光軸の角度は、観察者５０側から見た角度を示す。
【００２８】
ここで、第１実施形態では、図１および図２に示すように、光学部材３０は、外部からの光を吸収する機能を有する黒色の基材３１と、基材３１の表面上に形成されるミラー部３２とを含んでいる。なお、ミラー部３２は、本発明の「反射手段」および「鏡部材」の一例であり、黒色の基材３１は、本発明の「光吸収部材」の一例である。そして、基材３１の表面上のミラー部３２が形成される領域以外の領域には、黒色の基材３１の表面からなる遮光部３１ａが設けられている。また、ミラー部３２および遮光部３１ａは、ぞれぞれ、Ｂ方向に沿って延びるとともに、Ａ方向に隣接するように交互に設けられている。また、ミラー部３２は、右目５０ａと表示パネル１０の右目用画像Ｒ１が表示される領域とを結んだ線上に配置されるとともに、左目５０ｂと表示パネル１０の左目用画像Ｌ１が表示される領域とを結んだ線上に配置される。したがって、ミラー部３２は、反射した光を右目用画像Ｒ１が表示される領域を介して右目５０ａに進行する光と、左目用画像Ｌ１が表示される領域を介して左目５０ｂに進行する光とに分離することが可能となる。
【００２９】
図３および図４は、図１に示した第１実施形態の画像表示装置の立体画像表示方法を説明するための図である。なお、図３および図４において、破線は、偏光板２０を透過する光の偏光軸の角度を示すとともに、矢印は、透過光の偏光軸の角度を示す。次に、図２〜図４を参照して、第１実施形態の画像表示装置１の立体画像表示方法について説明する。
【００３０】
画像表示装置１の観察者５０側から入射する複数の偏光軸を有する外部光（太陽光）は、図３および図４に示すように、約１３５°の偏光軸を有する偏光板２０により、約１３５°の偏光軸を有する光のみが透過して、表示パネル１０に向かって進行する。そして、約１３５°の偏光軸を有する光は、表示パネル１０を透過するとともに、光学部材３０のミラー部３２および遮光部３１ａに向かって進行する。そして、遮光部３１ａに向かって進行する光は、図３に示すように、遮光部３１ａにより遮光される。また、ミラー部３２に進行する光は、図２および図４に示すように、ミラー部３２により反射されて再び表示パネル１０に向かって進行する。そして、表示パネル１０の右目用画像Ｒ１および左目用画像Ｌ１のいずれかが表示される領域に入射する。
【００３１】
この際、ミラー部３２は、反射した光を、右目用画像Ｒ１が表示される領域を介して右目５０ａに進行する光と、左目用画像Ｌ１が表示される領域を介して左目５０ｂに進行する光とに分離するので、ミラー部３２により反射されて右目用画像Ｒ１が表示される領域を通過した光は、右目５０ａに向かって進行するとともに、左目用画像Ｌ１が表示される領域を通過した光は、左目５０ｂに向かって進行する。その後、右目５０ａおよび左目５０ｂに向かって進行する約１３５°の偏光軸を有する光は、約１３５°の偏光軸を有する偏光板２０を透過して、それぞれ、右目５０ａおよび左目５０ｂに入射する。したがって、右目５０ａは、表示パネル１０の右目用画像Ｒ１が表示される領域のみを観察するとともに、左目５０ｂは、左目用画像Ｌ１が表示される領域のみを観察する。これにより、観察者５０は、右目用画像Ｒ１および左目用画像Ｌ１により構成される立体画像を観察することが可能となる。
【００３２】
（第１実施形態の効果）
第１実施形態では、上記のように、観察者５０側から入射した光を反射することにより、表示パネル１０の右目用画像Ｒ１が表示される領域を介して右目５０ａ側に進行する光と、左目用画像Ｌ１が表示される領域を介して左目５０ｂ側に進行する光とに分離するミラー部３２を設けることによって、光源を用いずに、右目用画像Ｒ１が付加された光と、左目用画像Ｌ１が付加された光とを分離した状態で、観察者５０側に進行させることができる。これにより、表示パネル１０に右目用画像Ｒ１と左目用画像Ｌ１とを、それぞれ、右目５０ａおよび左目５０ｂに入射させることができる。その結果、光源を用いずに、観察者５０に立体画像を提供することができる。
【００３３】
（第２実施形態）
図５は、本発明の第２実施形態による画像表示装置の分解斜視図である。図６は、図５に示した第２実施形態による画像表示装置を観察者が見た状態を上方から示した図である。次に、図５および図６を参照して、この第２実施形態では、上記第１実施形態と異なり、外部光（太陽光）を透過する透過状態と、反射する反射状態とを切り替えることが可能な切替ミラー１４０を備えた画像表示装置１００について説明する。なお、第２実施形態による画像表示装置１００は、切替ミラー１４０を透過状態と反射状態とに切り替えることにより、観察者５０に立体画像を提供する立体画像表示モードと、平面画像を提供する平面画像表示モードとを切り替えることが可能である。
【００３４】
この第２実施形態による画像表示装置１００は、図５および図６に示すように、画像を表示するための表示パネル１０と、表示パネル１０の観察者５０側に配置される偏光板２０と、表示パネル１０の背面側に配置される光学部材３０と、表示パネル１０と光学部材３０との間に配置される切替ミラー１４０とを備えている。なお、第２実施形態では、切替ミラー１４０を追加したこと以外は、上記第１実施形態と同様であるので、切替ミラー１４０以外の構成の説明を省略する。
【００３５】
ここで、第２実施形態では、切替ミラー１４０は、表示パネル１０側に配置される偏光制御液晶パネル１４１と、偏光制御液晶パネル１４１の背面側に配置される反射型偏光板１４２とを含んでいる。なお、本発明の「反射手段」は、切替ミラー１４０とミラー部３２とを含む概念である。
【００３６】
また、第２実施形態では、偏光制御液晶パネル１４１は、ＴＮ（Ｔｗｉｓｔｅｄ  Ｎｅｍａｔｉｃ）液晶パネルからなり、ＯＦＦ状態で、入射した光の偏光軸を約９０°変化させた状態で出射させ、ＯＮ状態で、入射した光の偏光軸をほぼ変化させないで出射させる約９０°ＴＮ方式を用いている。偏光制御液晶パネル１４１は、液晶層に加わる電圧を制御することにより、ＯＮ状態とＯＦＦ状態とを切り替えることが可能に構成されている。具体的には、ＯＮ状態の偏光制御液晶パネル１４１に入射した約１３５°の偏光軸を有する光は、偏光軸を変化されることなく、そのまま透過する。そして、ＯＦＦ状態の偏光制御液晶パネル１４１に入射した約１３５°の偏光軸を有する光は、偏光軸を約９０°変化されて、約４５°の偏光軸を有する光となって透過する。
【００３７】
また、第２実施形態では、反射型偏光板１４２は、所定の偏光軸を有する光を透過するとともに、所定の偏光軸と直交する偏光軸を有する光を反射する機能を有している。具体的には、約１３５°の偏光軸を有する光を透過するとともに、約４５°の偏光軸を有する光を反射する機能を有している。したがって、偏光制御液晶パネル１４１および反射型偏光板１４２により構成される切替ミラー１４０は、偏光制御液晶パネル１４１をＯＮ状態に制御することにより、入射した約１３５°の偏光軸を有する光を透過する透過状態となるとともに、偏光制御液晶パネル１４１をＯＦＦ状態に制御することにより、入射した約１３５°の偏光軸を有する光を反射する反射状態となる。
【００３８】
（立体画像表示モード）
図７および図８は、図５に示した第２実施形態の画像表示装置の立体画像表示方法を説明するための図である。なお、図７および図８において、破線は、偏光板２０および反射型偏光板１４２を透過する光の偏光軸の角度を示すとともに、矢印は、透過光の偏光軸の角度を示す。次に、図６〜図８を参照して、第２実施形態の画像表示装置１００の立体画像表示方法について説明する。なお、立体画像表示モードでは、切替ミラー１４０を透過状態（偏光制御液晶パネルをＯＮ状態）に制御するとともに、表示パネル１０に右目用画像Ｒ１および左目用画像Ｌ１を表示しておく。
【００３９】
本実施形態では、画像表示装置１００の観察者５０側から入射する複数の偏光軸を有する外部光（太陽光）は、図７および図８に示すように、約１３５°の偏光軸を有する偏光板２０により、約１３５°の偏光軸を有する光が表示パネル１０を透過し、偏光制御液晶パネル１４１に向かって進行する。この際、偏光制御液晶パネル１４１は、ＯＮ状態に制御されているため、約１３５°の偏光軸を有する光は透過して、反射型偏光板１４２に入射する。そして、反射型偏光板１４２は、約１３５°の偏光軸を有する光を透過させる機能を有しているので、反射型偏光板１４２に入射した約１３５°の偏光軸を有する光は透過して、光学部材３０のミラー部３２および遮光部３１ａに向かって進行する。そして、遮光部３１ａに向かって進行する光は、図７に示すように、遮光部３１ａにより遮光される。
【００４０】
また、ミラー部３２が形成されている一部の領域に進行する光は、図６および図８に示すように、ミラー部３２により反射されて再び反射型偏光板１４２に向かって進行する。そして、反射型偏光板１４２に入射した約１３５°の偏光軸を有する光は透過して、偏光制御液晶パネル１４１に向かって進行する。上記したように、偏光制御液晶パネル１４１は、ＯＮ状態に制御されているため、約１３５°の偏光軸を有する光は透過して、表示パネル１０に向かって進行し、右目用画像Ｒ１および左目用画像Ｌ１のいずれかが表示される領域に入射する。この際、ミラー部３２は、反射した光を、表示パネル１０の右目用画像Ｒ１が表示される領域を介して右目５０ａに進行する光と、左目用画像Ｌ１が表示される領域を介して左目５０ｂに進行する光とに分離するので、ミラー部３２により反射されて右目用画像Ｒ１が表示される領域を通過した光は、右目５０ａに向かって進行するとともに、左目用画像Ｌ１が表示される領域を通過した光は、左目５０ｂに向かって進行する。その後、右目５０ａおよび左目５０ｂに向かって進行する約１３５°の偏光軸を有する光は、約１３５°の偏光軸を有する偏光板２０を透過して、それぞれ、右目５０ａおよび左目５０ｂに入射する。したがって、右目５０ａは、表示パネル１０の右目用画像Ｒ１が表示される領域のみを観察するとともに、左目５０ｂは、左目用画像Ｌ１が表示される領域のみを観察する。これにより、観察者５０は、右目用画像Ｒ１および左目用画像Ｌ１により構成される立体画像を観察することが可能となる。
【００４１】
（平面画像表示モード）
図９は、図５に示した第２実施形態の平面画像表示時の画像表示装置を観察者が見た状態を上方から示した図であり、図１０は、図５に示した第２実施形態の画像表示装置の平面画像表示方法を説明するための図である。なお、図１０において、破線は、偏光板２０および反射型偏光板１４２を透過する光の偏光軸の角度を示すとともに、矢印は、透過光の偏光軸の角度を示す。次に、図９および図１０を参照して、第２実施形態の画像表示装置１００の平面画像表示方法について説明する。なお、観察者５０に平面画像Ｓを提供する平面画像表示モードでは、切替ミラー１４０を反射状態（偏光制御液晶パネル１４１をＯＦＦ状態）に制御するとともに、表示パネル１０に平面画像Ｓを表示しておく。
【００４２】
画像表示装置１００の観察者５０側から入射する複数の偏光軸を有する外部光（太陽光）は、図９および図１０に示すように、約１３５°の偏光軸を有する偏光板２０により、約１３５°の偏光軸を有する光が透過して、表示パネル１０に向かって進行し、偏光制御液晶パネル１４１に向かって進行する。この際、偏光制御液晶パネル１４１は、ＯＦＦ状態に制御されているため、約１３５°の偏光軸を有する光は偏光軸が約９０°変化されて、約４５°の偏光軸を有する光となって透過して、反射型偏光板１４２に入射する。そして、本実施形態では、図９に示すように、反射型偏光板１４２は、約４５°の偏光軸を有する光を反射させる機能を有しているので、入射した約４５°の偏光軸を有する光は偏光制御液晶パネル１４１の背面側の全面に設けられた反射型偏光板１４２の全ての領域で反射されて、再び偏光制御液晶パネル１４１に向かって進行する。上記したように、偏光制御液晶パネル１４１は、図１０に示すように、ＯＦＦ状態に制御されているため、約４５°の偏光軸を有する光は再び偏光軸が約９０°変化されて、約１３５°の偏光軸を有する光となって透過して、表示パネル１０に向かって進行する。そして、表示パネル１０に入射した光は、表示パネル１０の平面画像Ｓが表示される領域に入射する。その後、観察者５０側に向かって進行する約１３５°の偏光軸を有する光は、約１３５°の偏光軸を有する偏光板２０を透過して、右目５０ａおよび左目５０ｂに入射する。したがって、観察者５０は、平面画像Ｓを観察することが可能となる。
【００４３】
（第２実施形態の効果）
第２実施形態では、上記のように、切替ミラー１４０を、入射した外部光（太陽光）を反射することにより、観察者に立体画像を提供する透過状態と、入射した外部光（太陽光）を反射することにより、観察者に平面画像を提供する反射状態とに切り替え可能に構成し、切替ミラー１４０を透過状態（偏光制御液晶パネル１４１をＯＮ状態）にすることにより、観察者５０に立体画像を提供することができるとともに、切替ミラー１４０を反射状態（偏光制御液晶パネル１４１をＯＦＦ状態）にすることにより、観察者５０に平面画像Ｓを提供することができる。その結果、観察者に立体画像を提供するとともに、平面画像Ｓを提供することができる。
【００４４】
また、第２実施形態では、上記した第１実施形態と同様の効果も有する。
【００４５】
（第３実施形態）
図１１は、本発明の第３実施形態による画像表示装置の分解斜視図である。図１２は、図１１に示した第３実施形態による画像表示装置を観察者が見た状態を上方から示した図である。図１３は、図１１に示した第３実施形態による画像表示装置の偏光制御液晶パネルの拡大図である。次に、図１１〜図１３を参照して、この第３実施形態では、上記第１実施形態および第２実施形態と異なり、所定の領域を透過状態または反射状態に切り替えることが可能な切替ミラー２４０を備えた画像表示装置２００について説明する。なお、第３実施形態による画像表示装置２００は、切替ミラー２４０の所定の領域を透過状態と反射状態とに切り替えることにより、観察者５０に立体画像を提供する立体画像表示モードと、平面画像を提供する平面画像表示モードとに切り替えることが可能である。
【００４６】
この第３実施形態による画像表示装置２００は、図１１および図１２に示すように、画像を表示するための表示パネル１０と、表示パネル１０の観察者５０側に配置される偏光板２０と、表示パネル１０の背面側に配置される基材３１と、表示パネル１０と基材３１との間に配置される切替ミラー２４０とを備えている。なお、第３実施形態では、第１実施形態および第２実施形態と異なり、基材３１の表面上にミラー部３２は形成されていない。また、第３実施形態では、切替ミラー２４０の構成以外は、上記第１実施形態および第２実施形態と同様であるので、切替ミラー２４０以外の構成の説明を省略する。
【００４７】
ここで、第３実施形態では、切替ミラー２４０は、表示パネル１０側に配置される偏光制御液晶パネル２４１と、偏光制御液晶パネル２４１の背面側に配置される反射型偏光板２４２とを含んでいる。なお、切替ミラー２４０は、本発明の「反射手段」の一例である。
【００４８】
また、第３実施形態では、偏光制御液晶パネル２４１は、偏光領域２４１ａと透過領域２４１ｂとを含んでいる。この偏光領域２４１ａおよび透過領域２４１ｂは、ぞれぞれ、左目５０ｂおよび右目５０ａを結んだＡ方向と直交するＢ方向に沿って延びるとともに、Ａ方向に隣接するように交互に設けられている。また、偏光領域２４１ａは、右目５０ａと表示パネル１０の右目用画像Ｒ１が表示される領域とを結んだ線上に配置されるとともに、左目５０ｂと左目用画像Ｌ１が表示される領域とを結んだ線上に設けられる。したがって、偏光領域２４１ａを透過するとともに後述する反射型偏光板２４２に反射された光を、右目用画像Ｒ１が表示される領域を介して右目５０ａに進行する光と、左目用画像Ｌ１が表示される領域を介して左目５０ｂに進行する光とに分離することが可能となる。なお、偏光領域２４１ａおよび透過領域２４１ｂは、それぞれ、本発明の「第２領域」および「第１領域」の一例である。
【００４９】
また、偏光制御液晶パネル２４１には、図１３に示すように、Ｂ方向に沿って延びる電極２４３ａおよび２４３ｂが複数設けられており、電極２４３ａおよび２４３ｂは、所定の間隔を隔てて隣接するように設けられている。そして、偏光領域２４１ａおよび透過領域２４１ｂには、それぞれ、電極２４３ａおよび２４３ｂが設けられている。そして、電極２４３ａが設けられる偏光領域２４１ａは、表示パネル１０の右目用画像Ｒ１および左目用画像Ｌ１からなる組に対応する。
【００５０】
そして、偏光制御液晶パネル２４１は、ＴＮ液晶パネルからなり、ＯＦＦ状態で、入射した光の偏光軸を約９０°変化させた状態で出射させ、ＯＮ状態で、入射した光の偏光軸をほぼ変化させないで出射させる約９０°ＴＮ方式を用いている。また、偏光制御液晶パネル２４１は、液晶層に加わる電圧を制御することにより、偏光領域２４１ａおよび透過領域２４１ｂをそれぞれＯＮ状態およびＯＦＦ状態に切り替えることが可能に構成されている。つまり、偏光領域２４１ａに設けられる電極２４３ａに加わる電圧を制御することによって、偏光領域２４１ａに位置する液晶層に加わる電圧を制御して、偏光領域２４１ａをＯＮ状態またはＯＦＦ状態に制御することが可能である。また、同様に、透過領域２４１ｂに設けられる電極２４３ｂに加わる電圧を制御することによって、透過領域２４１ｂに位置する液晶層に加わる電圧を制御して、透過領域２４１ｂをＯＮ状態またはＯＦＦ状態に制御することが可能である。したがって、ＯＮ状態の偏光領域２４１ａおよび透過領域２４１ｂに入射した約１３５°の偏光軸を有する光は、偏光軸を変化されることなく、そのまま透過する。そして、ＯＦＦ状態の偏光領域２４１ａおよび透過領域２４１ｂに入射した約１３５°の偏光軸を有する光は、偏光軸を約９０°変化されて、約４５°の偏光軸を有する光となって透過する。
【００５１】
また、第３実施形態では、反射型偏光板２４２は、所定の偏光軸を有する光を透過するとともに、所定の偏光軸と直交する偏光軸を有する光を反射する機能を有している。具体的には、約１３５°の偏光軸を有する光を透過するとともに、約４５°の偏光軸を有する光を反射する機能を有している。したがって、偏光制御液晶パネル２４１および反射型偏光板２４２により構成される切替ミラー２４０は、偏光領域２４１ａおよび透過領域２４１ｂをＯＮ状態に制御することにより、入射した約１３５°の偏光軸を有する光を透過する透過状態となるとともに、偏光領域２４１ａおよび透過領域２４１ｂをＯＦＦ状態に制御することにより、入射した約１３５°の偏光軸を有する光を反射する反射状態となる。
【００５２】
（立体画像表示モード）
図１４および図１５は、図１１に示した第３実施形態の画像表示装置の立体画像表示方法を説明するための図である。なお、図１４および図１５において、破線は、偏光板２０および反射型偏光板２４２を透過する光の偏光軸の角度を示すとともに、矢印は、透過光の偏光軸の角度を示す。次に、図１４および図１５を参照して、第３実施形態の画像表示装置２００の立体画像表示方法について説明する。なお、立体画像表示モードでは、偏光制御液晶パネル２４１の偏光領域２４１ａをＯＦＦ状態に制御するとともに透過領域２４１ｂをＯＮ状態に制御して、表示パネル１０に右目用画像Ｒ１および左目用画像Ｌ１を表示しておく。
【００５３】
画像表示装置２００の観察者５０側から入射する複数の偏光軸を有する外部光（太陽光）は、図１４および図１５に示すように、約１３５°の偏光軸を有する偏光板２０により、約１３５°の偏光軸を有する光が透過して、表示パネル１０を透過した後、偏光制御液晶パネル２４１の偏光領域２４１ａおよび透過領域２４１ｂに向かって進行する。
【００５４】
この際、透過領域２４１ｂは、図１４に示すように、ＯＮ状態に制御されているため、約１３５°の偏光軸を有する光は透過して、約１３５°の偏光軸を有する光を透過させる機能を有する反射型偏光板２４２に入射する。そして、反射型偏光板２４２に入射した約１３５°の偏光軸を有する光は透過して、基材３１に向かって進行して遮光される。
【００５５】
また、偏光領域２４１ａは、図１５に示すように、ＯＦＦ状態に制御されているため、約１３５°の偏光軸を有する光は、偏光軸が約９０°変化されて、約４５°の偏光軸を有する光となって、約４５°の偏光軸を有する光を反射する機能を有する反射型偏光板２４２に入射する。そして、偏光領域２４１ａに対応する反射型偏光板２４２の一部領域に入射した約４５°の偏光軸を有する光は、反射されて再び偏光制御液晶パネル２４１の偏光領域２４１ａに向かって進行する。上記したように、偏光領域２４１ａは、ＯＦＦ状態に制御されているため、約４５°の偏光軸を有する光は再び偏光軸が約９０°変化されて、約１３５°の偏光軸を有する光となって、表示パネル１０に向かって進行し、右目用画像Ｒ１および左目用画像Ｌ１のいずれかが表示される領域に入射する。この際、偏光領域２４１ａは、反射した光を、表示パネル１０の右目用画像Ｒ１が表示される領域を介して右目５０ａに進行する光と、左目用画像Ｌ１が表示される領域を介して左目５０ｂに進行する光とに分離するので、偏光領域２４１ａを通過して反射型偏光板２４２により反射されて右目用画像Ｒ１が表示される領域を通過した光は、右目５０ａに向かって進行するとともに、左目用画像Ｌ１が表示される領域を通過した光は、左目５０ｂに向かって進行する。その後、右目５０ａおよび左目５０ｂに向かって進行する約１３５°の偏光軸を有する光は、約１３５°の偏光軸を有する偏光板２０を透過して、それぞれ、右目５０ａおよび左目５０ｂに入射する。したがって、右目５０ａは、右目用画像Ｒ１が表示される領域のみを観察するとともに、左目５０ｂは、左目用画像Ｌ１が表示される領域のみを観察する。これにより、観察者５０は、右目用画像Ｒ１および左目用画像Ｌ１により構成される立体画像を観察することが可能となる。
【００５６】
（平面画像表示モード）
図１６は、図１１に示した第３実施形態の平面画像表示時の画像表示装置を観察者が見た状態を上方から示した図であり、図１７は、図１１に示した第３実施形態の画像表示装置の平面画像表示方法を説明するための図である。なお、図１７において、破線は、偏光板２０および反射型偏光板２４２を透過する光の偏光軸の角度を示すとともに、矢印は、透過光の偏光軸の角度を示す。次に、図１６および図１７を参照して、第３実施形態の画像表示装置２００の平面画像表示方法について説明する。なお、平面画像表示モードでは、偏光制御液晶パネル２４１の偏光領域２４１ａおよび透過領域２４１ｂをＯＦＦ状態に制御するとともに、表示パネル１０に平面画像Ｓを表示しておく。
【００５７】
画像表示装置２００の観察者５０側から入射する複数の偏光軸を有する外部光（太陽光）は、図１６および図１７に示すように、約１３５°の偏光軸を有する偏光板２０により、約１３５°の偏光軸を有する光が透過して、表示パネル１０を透過した後、偏光制御液晶パネル２４１に向かって進行する。この際、偏光制御液晶パネル２４１の偏光領域２４１ａおよび透過領域２４１ｂは、ＯＦＦ状態に制御されているため、約１３５°の偏光軸を有する光は偏光軸が約９０°変化されて、約４５°の偏光軸を有する光となって透過して、反射型偏光板２４２に入射する。そして、図１６に示すように、反射型偏光板２４２は、約４５°の偏光軸を有する光を反射させる機能を有しているので、偏光領域２４１ａおよび透過領域２４１ｂの全ての領域を透過して反射型偏光板２４２に入射した約４５°の偏光軸を有する光は反射型偏光板２４２により反射されて、再び偏光制御液晶パネル２４１に向かって進行する。上記したように、偏光制御液晶パネル２４１は、図１７に示すように、ＯＦＦ状態に制御されているため、約４５°の偏光軸を有する光は再び偏光軸が約９０°変化されて、約１３５°の偏光軸を有する光となって透過して、表示パネル１０に向かって進行する。そして、表示パネル１０に入射した光は、表示パネル１０の平面画像Ｓが表示される領域に入射する。その後、観察者５０側に向かって進行する約１３５°の偏光軸を有する光は、約１３５°の偏光軸を有する偏光板２０を透過して、右目５０ａおよび左目５０ｂに入射する。したがって、観察者５０は、平面画像Ｓを観察することが可能となる。
【００５８】
（第３実施形態の効果）
第３実施形態では、上記のように、偏光領域２４１ａおよび透過領域２４１ｂを所定の位置に設けることが可能な偏光制御液晶パネル２４１を設けるとともに、偏光制御液晶パネル２４１の所定の位置にＯＮ状態の透過領域２４１ｂを設けることにより、偏光制御液晶パネル２４１の透過領域２４１ｂを透過する光を、偏光軸を変化させずに透過させることができる。これにより、透過領域２４１ｂを透過した約１３５°の偏光軸を有する光を、反射型偏光板２４２に入射させるとともに透過させた後、基板３１で遮光することができる。また、偏光制御液晶パネル２４１の所定の位置にＯＦＦ状態の偏光領域２４１ａを設けることによって、偏光領域２４１ａを透過した光を約４５°の偏光軸を有する光に変化することができる。これにより、偏光制御液晶パネル２４１の一部の領域の偏光領域２４１ａを通過して、反射型偏光板２４２に入射する約４５°の偏光軸を有する光を、反射型偏光板２４２により、反射することができる。これらにより、偏光制御液晶パネル２４１の所定の位置に設けられる偏光領域２４１ａと反射型偏光板２４２とにより、外部光（太陽光）を、右目用画像Ｒ１が付加された光と、左目用画像Ｌ１が付加された光とに分離した状態で、観察者５０側に進行させることができる。その結果、光源を用いずに、観察者５０に立体画像を提供することができる。
【００５９】
また、第３実施形態では、偏光制御液晶パネル２４１の偏光領域２４１ａおよび透過領域２４１ｂを、ＯＮ状態およびＯＦＦ状態に切り替え可能に構成することによって、偏光領域２４１ａをＯＦＦ状態に制御するとともに、透過領域２４１ｂをＯＮ状態に制御することにより、観察者５０に立体画像を提供することができる。そして、偏光領域２４１ａおよび透過領域２４１ｂをＯＦＦ状態にすることにより、偏光制御液晶パネル２４１の全ての領域がＯＦＦ状態となり、観察者５０に平面画像Ｓを提供することができる。その結果、切替ミラー２４０（偏光制御液晶パネル２４１）を切り替えることにより、観察者５０に立体画像を提供するとともに、平面画像Ｓを提供することができる。
【００６０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６１】
たとえば、上記第１実施形態および第２実施形態では、ミラー部３２を左目５０ｂおよび右目５０ａを結んだＡ方向と直交するＢ方向に沿って設ける例を示したが、本発明はこれに限らず、図１８に示した変形例のように、ミラー部８２をＡ方向とＢ方向との両方に対して交差するＣ方向に沿って配置してもよい。この場合、表示パネルに表示される右目用画像および左目用画像は、図１９に示すように、赤色（Ｒ）、緑色（Ｇ）および青色（Ｂ）の光の３原色をそれぞれ表示するためのドット領域毎に表示するとともに、Ｃ方向に沿って表示する必要がある。これにより、右目５０ａおよび左目５０ｂに向かって進行するように分離された光を、縦方向（Ａ方向）および横方向（Ｂ方向）にほぼ均等に分散した状態で赤色（Ｒ）、緑色（Ｇ）および青色（Ｂ）の各色を観察者５０の目に向かって進行させることができるので、観察者５０の両面が観察する表示パネル１０の画像の解像度の低下を縦方向（Ａ方向）および横方向（Ｂ方向）に分散することができる。その結果、観察者に、画像劣化の少ない立体画像を観察していると認識させることができる。
【００６２】
また、上記第２実施形態および第３実施形態では、偏光制御液晶パネル１４１および２４１は、約９０°ＴＮ方式を用いる例を示したが、本発明はこれに限らず、たとえば、ＶＡ（Ｖｅｒｔｉｃａｌ  Ａｌｉｇｎｍｅｎｔ）方式およびＥＣＢ（Ｅｌｅｃｔｒｉｃａｌｌｙ  Ｃｏｎｔｒｏｌｌｅｄ  Ｂｉｒｅｆｒｉｎｇｅｎｃｅ）方式などの他の方式を用いてもよい。
【００６３】
また、上記第２実施形態および第３実施形態では、反射型偏光板として、ＯＮ状態の偏光制御液晶パネルを透過した約１３５°の偏光軸を有する光を透過するとともに、ＯＦＦ状態の偏光制御液晶パネルを透過した約４５°の偏光軸を有する光を反射する反射型偏光板について説明したが、本発明はこれに限らず、ＯＮ状態の偏光制御液晶パネルを透過した約１３５°の偏光軸を有する光を反射するとともに、ＯＦＦ状態の偏光制御液晶パネルを透過した約４５°の偏光軸を有する光を反射する反射型偏光板を用いてもよい。
【００６４】
また、上記実施形態では、偏光板２０の偏光軸を約１３５°に設定する例を示したが、本発明はこれに限らず、偏光板２０の偏光軸を上記の値以外の値に設定してもよい。
【００６５】
また、上記実施形態では、表示パネルの観察者側に約１３５°の偏光軸を有する偏光板を配置する例を示したが、本発明はこれに限らず、表示パネルの観察者側に円偏光板を配置してもよい。
【００６６】
また、上記第２実施形態および第３実施形態では、約１３５°の偏光軸を有する光を透過するとともに、約４５°の偏光軸を有する光を反射する反射型偏光板を用いる例について説明したが、本発明はこれに限らず、約１３５°以外の偏光軸を有する光を透過するとともに、約４５°以外の偏光軸を有する光を反射する反射型偏光板を用いてもよい。
【図面の簡単な説明】
【００６７】
【図１】本発明の第１実施形態による画像表示装置の分解斜視図である。
【図２】図１に示した第１実施形態による画像表示装置を観察者が見た状態を上方から示した図である。
【図３】図１に示した第１実施形態の画像表示装置の立体画像表示方法を説明するための図である。
【図４】図１に示した第１実施形態の画像表示装置の立体画像表示方法を説明するための図である。
【図５】本発明の第２実施形態による画像表示装置の分解斜視図である。
【図６】図５に示した第２実施形態による画像表示装置を観察者が見た状態を上方から示した図である。
【図７】図５に示した第２実施形態の画像表示装置の立体画像表示方法を説明するための図である。
【図８】図５に示した第２実施形態の画像表示装置の立体画像表示方法を説明するための図である。
【図９】図５に示した第２実施形態の平面画像表示時の画像表示装置を観察者が見た状態を上方から示した図である。
【図１０】図５に示した第２実施形態の画像表示装置の平面画像表示方法を説明するための図である。
【図１１】本発明の第３実施形態による画像表示装置の分解斜視図である。
【図１２】図１１に示した第３実施形態による画像表示装置を観察者が見た状態を上方から示した図である。
【図１３】図１１に示した第３実施形態による画像表示装置の偏光制御液晶パネルの拡大図である。
【図１４】図１１に示した第３実施形態の画像表示装置の立体画像表示方法を説明するための図である。
【図１５】図１１に示した第３実施形態の画像表示装置の立体画像表示方法を説明するための図である。
【図１６】図１１に示した第３実施形態の平面画像表示時の画像表示装置を観察者が見た状態を上方から示した図である。
【図１７】図１１に示した第３実施形態の画像表示装置の平面画像表示方法を説明するための図である。
【図１８】図１に示した第１実施形態の変形例による画像表示装置の光学部材の斜視図である。
【図１９】図１に示した第１実施形態の変形例による画像表示装置の光学部材のミラー部と表示パネルの画像との位置関係を示した図である。
【図２０】従来の一例による光学フィルタを備えた立体画像表示装置を観察者が見た状態を上方から示した図である。
【図２１】図２０に示した従来の一例による立体画像表示装置の光学フィルタの斜視図である。
【符号の説明】
【００６８】
１、１００、２００  画像表示装置
１０  表示パネル
２０  偏光板
３１  基材（光吸収部材）
３２  ミラー部（反射手段、鏡部材）
２４０  切替ミラー（反射手段）
１４１、２４１  偏光制御液晶パネル
１４２、２４２  反射型偏光板
２４１ａ  偏光領域（第２領域）
２４１ｂ  透過領域（第１領域）
【図１】
2007121720.tif 000003
【図２】
2007121720.tif 000004
【図３】
2007121720.tif 000005
【図４】
2007121720.tif 000006
【図５】
2007121720.tif 000007
【図６】
2007121720.tif 000008
【図７】
2007121720.tif 000009
【図８】
2007121720.tif 000010
【図９】
2007121720.tif 000011
【図１０】
2007121720.tif 000012
【図１１】
2007121720.tif 000013
【図１２】
2007121720.tif 000014
【図１３】
2007121720.tif 000015
【図１４】
2007121720.tif 000016
【図１５】
2007121720.tif 000017
【図１６】
2007121720.tif 000018
【図１７】
2007121720.tif 000019
【図１８】
2007121720.tif 000020
【図１９】
2007121720.tif 000021
【図２０】
2007121720.tif 000022
【図２１】
2007121720.tif 000023